(57)【特許請求の範囲】
【請求項１】
筒状体又は円柱状体の塗装体に塗料を塗装し、
該塗料が流動性を有する間に、その上に重ねて他の色の塗料を塗装し、
これらの塗料が流動性を有している間に流れや飛散力を付与して下側の塗料を外側に露出させて色模様を形成し、
その後一体に硬化させる色模様塗膜形成方法。
【発明の詳細な説明】
【０００１】
本発明は、筒状体又は円柱状体の表面に略一層状態の色模様の形成された塗膜とその形成方法に関する。従って釣竿やその用品、ゴルフクラブシャフト、スキーのストック、自転車のフレーム、テニスラケット、バトミントンラケット等に応用できる。筒状体とは円筒の他、楕円状や多角形の筒等を含む。円柱状体とは円柱の他、楕円状や多角形の柱体を含む。
【０００２】
【従来の技術】
釣竿等の外周に不定形の色模様を形成する方法として、特開平５−４９３７３号公報には、各色の塗膜を乾燥させて順次重ねて複数の塗膜を形成し、これを研磨することにより各色の塗膜を露出させて色模様を形成する方法が開示されている。また、転写印刷等の手法もある。
【０００３】
【発明が解決しようとする課題】
然しながら上記公報の方法では、各色の層を幅広く露出させる場合、塗膜を厚く形成しなければならず、これでは釣竿が重くなる。また、色模様を形成するまでには各色の塗膜の乾燥時間や研磨時間も要し、作業時間が長い。しかも厚めの各塗膜層間境界面の剥離のおそれや研磨による各層の境界面剥離の虞がある。
また、転写印刷では装置が複雑になり、簡便に色模様が形成できないと共に、色層に重なりが生ずる。
【０００４】
依って本発明は、色模様の塗膜を簡便に、しかも短時間で形成することを目的とする。
また、略一層状態に形成されて剥離し難い色模様塗膜の提供を目的とする。
【０００５】
【課題を解決するための手段】
上記目的に鑑みて本発明は、請求項１において、筒状体又は円柱状体の塗装体に塗料を塗装し、該塗料が流動性を有する間に、その上に重ねて他の色の塗料を塗装し、これらの塗料が流動性を有している間に流れや飛散力を付与して下側の塗料を外側に露出させて色模様を形成し、その後一体に硬化させる色模様塗膜形成方法を提供する。
【０００６】
【作用】
請求項１では、流動性を有している間に色の重ね塗りを行い、溶剤等液状成分の拡散や対流によって塗料が混合し得る。従って、形成される色模様塗膜の各塗膜間に境界面が生じ難く、従って剥離し難く丈夫である。また、こうした流動性を有している間に塗装体の周方向の回転により飛散力を付与して外周の余分な塗料を飛散させたり、衝撃等による振動、送風、或いは塗装体の長手方向を径とする旋回等により塗料に流れを与えて下側の塗料を外側に露出させる。こうして露出形成された色模様塗膜層を一体に硬化させるが、この形成方法では、各色塗料が乾燥するのを待って重ね塗りする必要がないため、作業時間が短くなる。また、塗装体を回転させたり、振動を付与するだけの機械装置があればよく、転写印刷等と比較して簡便である。
【０００７】
色模様を略一層状態に形成した塗膜は、一層状態のため各色間に境界面が殆ど生じておらず、従って剥離し難く丈夫な塗膜となる。
【０００８】
【実施例】
以下、本発明を添付図面に示す実施例に基づき、更に詳細に説明する。
図２は本発明に係る色模様塗膜を形成した釣竿２０の要部平面図である。この実施例では第１の色を呈する塗膜１４Ｓと第２の色を呈する塗膜１６Ｓとの２色模様を形成している。
【０００９】
この釣竿２０の矢視線Ａ−Ａによる断面拡大図を図１の（ｂ）に示す。この色模様塗膜を形成するには、（ａ）に図示するように、まず塗装体である竿管本体１０にエポキシ樹脂等のクリヤー塗装による下地塗装層１２を形成し、その硬化後に、所望の領域に第１の色の塗料を刷毛やスプレーガンで塗装して第１塗料層１４を形成し、この塗料が流動性を有している間に、第２の色の塗料を重ねて塗装して第２塗料層１６を形成する。第１塗料層１４は筒状の竿管本体１０の周りに環状に塗装した部分と、斑点状に（小円形に）塗装した領域とがあり、第２塗料層１６は外周全体に塗装している。この塗装時においても後述の回転装置を用いて、特に第２塗料層１６を形成する際に、例えば２００ｒｐｍ程度に回転させながら塗装する。なお、竿管本体１０は合成樹脂をマトリックスとした高強度繊維によって形成しているが、これに限らない。また、釣竿のゴム等の握り部材を塗装体とすることもできる。
【００１０】
これら各塗料には、主たる塗膜形成要素と蒸発成分である溶剤とが含まれており、塗膜形成要素には主剤の樹脂成分（エポキシ樹脂やポリエステル樹脂）、色要素である顔料や染料、及び硬化剤等がある。これらの塗膜形成要素を溶剤に混合させて塗料となすが、その溶剤の割合を多くして各色の塗料共に希釈率を大きくし、塗料の粘性を小さくしておく（例えば、３００センチポアズ以下）。そして塗料層１４，１６は厚目に塗装する。この状態を図１の（ａ）に示す。こうしてこれらの塗料が流動性を有している間に、拡散や対流等によって２つの塗料内の溶剤や樹脂成分等の液体成分が互いに混合し合う。対流を起こさせるには、沸点の低い溶剤を使用するとよい。また、両塗料内の液体成分を充分に混合させて境界面が発生することを防止するには、同種又は同一の溶剤と、同種又は同一の主剤や硬化剤を使用することが好ましい。
【００１１】
このように自然混合しつつ、竿管本体１０をその長手方向軸を中心軸として、例えば７００ｒｐｍ以上の高速で回転させると、厚目に塗装されている塗料層１４，１６は、特に下側の塗料層１４に重なった位置にあって、回転半径の大きな位置にある塗料層１６は遠心力によって飛散し、下側の塗料層１４が露出する。更に回転させると、重なっていない位置の塗料層１６も、露出した塗料層１４もそれらの表面が遠心力によって更に飛散し、非常に薄く、かつ均一な塗装膜が形成される。これを硬化させた状態を（ｂ）に示している。
【００１２】
即ち、第１の色の塗膜１４Ｓも第２の色の塗膜１６Ｓも、下地塗装層１２の上に略一層状態に形成されている。即ち、転写印刷や上記公報の場合と異なり、各色層の重なり領域が殆ど生じない。下側に位置していた塗料層１４の塗膜周辺部は、上側に位置していた塗料層１６の塗膜と重なっている部分があるが、大部分の塗膜１４Ｓ，１６Ｓは並列状態に形成されている。また、表面は殆ど段差がなく、膜厚も均一化し易い。こうして形成された塗膜１４Ｓ，１６Ｓは、顔料等の粒子成分は大局的には分れており、このため異なる色を呈しているが、既述の如く２つの塗料内の溶剤や樹脂成分等の液体成分が互いに混合し合って形成されているため、殆ど境界面を生じておらず剥離が生じ難い。従って、丈夫な塗膜となる。然しながら、更に耐久性を向上させるために、各塗膜１４Ｓ，１６Ｓを覆うように透明なエポキシ樹脂等のクリヤー塗装を施してもよい。
【００１３】
以上のようにして形成された色模様は、一般に各色領域の周辺部が他色の塗膜と重なっており、領域の輪郭がぼんやりして自然な独特模様が形成されている。またこの実施例のように遠心力によって形成すると、その色模様は幾分かは不定形な形態になるが、このことは釣竿一本一本が異なる色模様を有することにもなり、個々の釣竿が個性を有し、転写印刷による場合のような画一的な模様を施した釣竿と差別化できる。もし色の境界を明確にしたいのであれば、下側の塗料層１４の塗料粘性を高くしておけばよい。
【００１４】
以上の説明では、２色しか使用していないが、本発明はこれに限らず、３色以上の模様の場合も同様に形成できる。また２色のものを３層に塗装したりすることもできる。更に、第１塗料層１４は部分的に塗装形成しているが、これを全体領域に塗装していても、遠心力の作用によって色模様を形成することができる。この場合は、上記実施例の場合と同じ模様とは限らず、上側塗料層１６の部分的な飛散等によって斑点状の模様形成等が可能である。
【００１５】
こうした模様形成には、各塗料の顔料等の比重差を設けて重い塗料を下側に塗装しておくと、遠心力で浮き上がり、露出して色模様を形成し易い。この他、各塗料の粘性を調整したり、回転数を調整することによって浮き出る模様が変えられる。このように回転による遠心力を利用するため、塗装体は竿管本体１０のように半径長さの急変しない筒状体（や円柱状体）が好ましい。また、下地塗装層１２は無くてもよいが、色模様塗膜の塗料との密着性等の塗膜物性を向上させるために設けることが好ましい。
【００１６】
以上のように遠心力を利用する他、衝撃やその他の方法による振動によっても下側の塗料層１４を露出させることができる。また、塗装体をその長手方向の一端を中心にして旋回させたり、送風機によって強い風を吹き付けたり、また重力によったりして塗料を流させても、下側の塗料層を露出させることができ、色模様を形成できる。こうした形成方法の場合は、回転時のように薄くて均一な塗膜ができるという効果を除けば、他の効果はそのまま有する。更には、釣竿以外にも適用できることは既述済みであり、これらでも同様の効果を生ずる。
【００１７】
【発明の効果】
以上の説明から明らかなように本発明の形成方法によれば、各色塗料が乾燥するのを待たないで重ね塗りできるため、作業時間が短くなる。また、塗装体を回転させたり、振動を付与するだけの機械装置があればよく、転写印刷等と比較して作業が簡便である。更には、下側の塗料層が流動状態のまま上に他の塗料層を重ね合せるため、各塗料の液体成分間に拡散等の混合作用が生じて一体化するため、形成された色模様塗膜の各色塗膜間に境界面が生じ難く、従って剥離し難く丈夫な色模様塗膜を形成することができる。形成された模様は自然な感じの部分があり、不定形の部分がある。このため塗装体一つ一つが異なる模様を有することにもなり、夫々が個性を有し、転写印刷による場合のような画一的な模様を施した場合と差別化できる。
【００１８】
本発明に係る色模様塗膜は、略一層状態に形成されているため各色塗膜間に境界面が殆ど生じておらず、従って剥離し難く丈夫である。
これを回転による遠心力を使って円筒状や円柱状の塗装体表面に形成すれば、余分な塗料が飛散するため、薄くて略一層状の均一で軽量な色模様塗膜を、簡便に、しかも短時間で形成することができる。従って、軽量で丈夫な自然感覚の色模様塗膜が形成できる。
【図面の簡単な説明】
【図１】図１は本発明に係る塗装体の色模様塗膜の形成方法の説明図と、図２の矢視線Ａ−Ａによる色模様塗膜断面図を示す。
【図２】図２は図１の方法によって色模様塗膜の形成された釣竿要部の図である。
【符号の説明】
１２            下地塗装層
１４            第１塗料層
１４Ｓ          第１色塗膜
１６            第２塗料層
１６Ｓ          第２色塗膜
【図１】
0003614185.tif 000002
【図２】
0003614185.tif 000003